(57)【要約】【課題】鍛造により製造されるポケットタイプと呼ばれる低重心のキャビティタイプのアイアンゴルフクラブヘッドであって、ボールを打撃したときの打球感に優れるアイアンゴルフクラブヘッドを提供する。【解決手段】鍛造により一体に成形され、上部にトップ部２、前部にフェース部３、底部にソール部４、後部にバック部５、及び、バック部５にフェース部３に向かって形成された主凹部７と主凹部７からソール部４に向かって形成された凹部８とを有する。凹部８は曲げ加工により形成された。【選択図】図１
2014200268.tif 000002
【特許請求の範囲】
【請求項１】
鍛造により一体に成形され、上部にトップ部、前部にフェース部、底部にソール部、後部にバック部、及び、前記バック部に前記フェース部に向かって形成された主凹部とこの主凹部から前記ソール部に向かって形成された凹部とを有するとともに、この凹部は曲げ加工により形成されたことを特徴とするアイアンゴルフクラブヘッド。
【請求項２】
切削加工、接合加工のいずれの工程をも経ることなく前記凹部が形成されたことを特徴とする請求項１記載のアイアンゴルフクラブヘッド。
【請求項３】
前記トップ部から前記フェース部、前記ソール部、前記バック部まで鍛流線が連続して存在することを特徴とすることを特徴とする請求項１又は２記載のアイアンゴルフクラブヘッド。
【発明の詳細な説明】
【技術分野】
【０００１】
本発明は、鍛造によって製造されるアイアンゴルフクラブヘッドに関する。
【背景技術】
【０００２】
アイアンゴルフクラブヘッドは、そのバック面の形状から、マッスルタイプとキャビティタイプに大別される。また、キャビティタイプには、アンダーカットタイプ、ポケットタイプなどがある。
【０００３】
マッスルタイプのアイアンヘッドは、ブレードタイプ、フラットバックとも呼ばれ、旧来から存在するバック面が比較的平坦の形状のものである。このマッスルタイプのアイアンヘッドは、いわゆるスウィートスポットで打球したときの打球感が優れるという特長を有するものの、重心点が高く、慣性モーメントも小さいため、一般的なゴルファーが使用するには難しい形状である。
【０００４】
一方、キャビティタイプは、比較的新しく登場したアイアンヘッドであり、ヘッドのバック面に凹部を設けた形状のものである。このキャビティタイプのアイアンヘッドは、マッスルタイプと比べて打球感がやや劣るものの、バック面の凹部の形成により削減されたヘッド重量がバック面の周辺部に配分されているため、スイートスポットが広く、また、慣性モーメントが大きく打球がスイートスポットを外れてしまった場合のヘッドのぶれが少ないという特長がある。
【０００５】
このキャビティタイプのうち、アンダーカットタイプは、バック面の主凹部からソールに向かって凹部を拡げたものである。また、ポケットタイプは、近年登場した新しいタイプのアイアンヘッドであり、バック面の主凹部からソールに向かって拡げたアンダーカットタイプの凹部をさらにソールに向かって大きくしたものであり、ソールに向かって拡大された凹部の形状があたかもポケットのような形状になっている。これらのタイプのアイアンヘッドは、ソールに向かって拡大された凹部の形成により削減されたヘッド重量を自由に配分することが可能であるので、例えば、低重心化など重心設計の自由度が向上する。これによって、一般的なゴルファーにとって扱いやすいゴルフクラブとすることができる。
【０００６】
ところで、これらのアンダーカットタイプやポケットタイプのアイアンヘッドを鍛造により製造する場合、予め別個に製作したフェース部と本体部を溶接により接合する方法が一般的である（例えば、特許文献１を参照。）。しかし、溶接によって接合面を完全に接合することは困難であり、溶接後に接合されずにごく僅かな隙間として残っている部分が一部ではあるが存在する。このため、ボールを打撃したときの打球感が悪いという欠点があった。
【先行技術文献】
【特許文献】
【０００７】
【特許文献１】特開２００６−２２３６８６号公報
【発明の概要】
【発明が解決しようとする課題】
【０００８】
本発明は、鍛造により製造されるポケットタイプと呼ばれる低重心のキャビティタイプのアイアンゴルフクラブヘッドであって、ボールを打撃したときの打球感に優れるアイアンゴルフクラブヘッドを提供することを目的とする。
【課題を解決するための手段】
【０００９】
本発明の請求項１記載のアイアンゴルフクラブヘッドは、鍛造により一体に成形され、上部にトップ部、前部にフェース部、底部にソール部、後部にバック部、及び、前記バック部に前記フェース部に向かって形成された主凹部とこの主凹部から前記ソール部に向かって形成された凹部とを有するとともに、この凹部は曲げ加工により形成されたことを特徴とする。
【００１０】
また、本発明の請求項２記載のアイアンゴルフクラブヘッドは、請求項１において、切削加工、接合加工のいずれの工程をも経ることなく前記凹部が形成されたことを特徴とする。
【００１１】
また、本発明の請求項３記載のアイアンゴルフクラブヘッドは、請求項１又は２において、前記トップ部から前記フェース部、前記ソール部、前記バック部まで鍛流線が連続して存在することを特徴とする。
【発明の効果】
【００１２】
本発明の請求項１記載のアイアンゴルフクラブヘッドは、主凹部と凹部を有するので低重心とすることができ、凹部は曲げ加工により形成されたのでボールを打撃したときの打球感に優れる。
【００１３】
また、本発明の請求項２記載のアイアンゴルフクラブヘッドによれば、切削加工、接合加工のいずれの工程をも経ることなく凹部が形成されたので安価に製造することができる。
【００１４】
また、本発明の請求項３記載のアイアンゴルフクラブヘッドは、トップ部からフェース部、ソール部、バック部まで鍛流線が連続して存在するので強度が高い。
【図面の簡単な説明】
【００１５】
【図１】実施例１のアイアンゴルフクラブヘッドのフェース面と垂直な方向からバック部を見たときの平面図である。
【図２】同上フェース面と平行な方向からトップ部を見たときの平面図である。
【図３】同上図１のＡ−Ａ線断面図である。
【図４】同上曲げ加工前のフェース面と垂直な方向からバック部を見たときの平面図である。
【図５】同上曲げ加工前のフェース面と平行な方向からトップ部を見たときの平面図である。
【図６】同上図４のＡ−Ａ線断面図である。
【発明を実施するための形態】
【００１６】
以下、本発明のアイアンゴルフクラブヘッドの実施例について、添付した図面を参照しながら説明する。
【実施例１】
【００１７】
本実施例のアイアンゴルフクラブヘッドを示す図１〜３において、１は鍛造により一体に成形されたアイアンゴルフクラブヘッド（以下、「ヘッド」という。）であり、ヘッド１は、上部にトップ部２、前部にフェース部３、底部にソール部４、後部にバック部５を有している。また、ヘッド１は、一側部にシャフトが挿入されるホーゼル部６を有している。そして、トップ部２はヘッド１の上面としてのトップ面21を形成し、フェース部３はヘッド１の前面としてのフェース面31を形成し、ソール部４はヘッド１の底面としてのソール面41を形成し、バック部５はヘッド１の背面としてのバック面51を形成している。
【００１８】
バック部５には、フェース部３に向かって主凹部７が形成されている。主凹部７は、バック面51からフェース部３に向かって前方に凹んだ形状になっている。なお、主凹部７は、キャビティ状の形状になっていることから、キャビティとも呼ばれている。また、主凹部７からソール部４に向かって凹部８が形成されている。凹部８は、主凹部７からソール部４に向かって下方に凹んだ形状になっており、フェース部３の下部、ソール部４、バック部５によって囲まれている。なお、凹部８は、ポケット状の形状になっていることから、ポケットとも呼ばれている。
【００１９】
凹部８は、曲げ加工により形成されている。以下、凹部８の形成方法について説明する。
【００２０】
図４〜６に、曲げ加工を行う前のヘッド１ａを示す。ヘッド１ａは、例えばＳ２０Ｃを素材として用いて鍛造により成形されている。なお、図４〜６において、図１〜３と同じ部分には同じ符号を付している。
【００２１】
ソール部４から後方に延びるように、延設部９が設けられている。延設部９は、比較的薄い舌状の形状を有している。また、延設部９とソール部４の接続部分には、曲げ加工を容易にするための溝部10が形成されている。また、バック部５において２箇所に切り欠き部11が形成されている。これは、延設部９を折り曲げる際にバック部５と干渉しないように予め形成されたものである。
【００２２】
曲げ加工においては、プレス機を用いて、延設部９の先端がトップ部２に向くように、延設部９を溝部10の位置において略直角に曲げる。これにより、延設部９によりバック面51が形成されるとともに、ポケット状の凹部８が形成される。このように、切削加工、接合加工のいずれの工程をも経ることなく、曲げ加工のみで凹部８が形成される。このため、トップ部２からフェース部３、ソール部４、バック部５まで鍛流線が連続して存在している。
【００２３】
なお、曲げ加工以外の製造工程は、通常の従来のアイアンゴルフクラブヘッドの製造工程と同様であるので、説明を省略する。
【００２４】
つぎに、実際に作成した本実施例のヘッド１について、ボールを打撃したときの打球感を評価するために、打音解析を行った。打音解析は、ボールを打撃したときに発せられる音の周波数成分を測定し、最も音圧の大きい成分の周波数を求めた。また、比較のため、従来のマッスルタイプ、キャビティタイプ、ポケットタイプのヘッドを用いて同様に評価した。併せて、ヘッドの重心高さを測定した。その結果を以下に示す。
【００２５】
なお、マッスルタイプは、旧来から存在するバック面が比較的平坦の形状のもの、キャビティタイプは、ヘッドのバック面に凹部を設けた形状であって凹部がアンダーカットではない形状のもの、ポケットタイプは、バック面の主凹部からソールに向かってポケット状の凹部を設けた形状のものである。また、比較例のポケットタイプは、フェース部と本体部を溶接により接合したものである。
【００２６】
【表１】
2014200268.tif 000003
【００２７】
この結果より、本実施例のヘッド１の打球感は、マッスルタイプに近く、良好なものであることが確認された。また、本実施例のヘッド１の重心高さは、ポケットタイプに近く、低重心であることが確認された。
【００２８】
以上のように、本実施例のアイアンゴルフクラブヘッド１は、鍛造により一体に成形され、上部にトップ部２、前部にフェース部３、底部にソール部４、後部にバック部５、及び、前記バック部５に前記フェース部３に向かって形成された主凹部７とこの主凹部７から前記ソール部４に向かって形成された凹部８とを有するとともに、この凹部８は曲げ加工により形成されたものであり、主凹部７と凹部８を有するので低重心とすることができ、凹部８は曲げ加工により形成されたのでボールを打撃したときの打球感に優れる。
【００２９】
また、切削加工、接合加工のいずれの工程をも経ることなく前記凹部８が形成されたので安価に製造することができる。
【００３０】
また、前記トップ部２から前記フェース部３、前記ソール部４、前記バック部５まで鍛流線が連続して存在するので強度が高い。
【００３１】
なお、本発明は上記の実施形態に限定されるものではなく、種々の変形実施が可能である。例えば、曲げ加工後に切り欠き部11を溶接により埋めてもよい。
【符号の説明】
【００３２】
１  アイアンゴルフクラブヘッド（ヘッド）
２  トップ部
３  フェース部
４  ソール部
５  バック部
７  主凹部
８  凹部
【図１】
2014200268.tif 000004
【図２】
2014200268.tif 000005
【図３】
2014200268.tif 000006
【図４】
2014200268.tif 000007
【図５】
2014200268.tif 000008
【図６】
2014200268.tif 000009